(57)【要約】【課題】形状や寸法の異なる複数の物品を、簡便に低コストに一つの箱内に収容できるプラスチック箱を提供する。【解決手段】プラスチック箱１が、１枚のプラスチックシートの折り曲げにより形成されおり、例えば、箱内に収容する物品Ａ、Ｂ、Ｃに適合した凹凸成型面（凹部２０ａ、２０ｂ、２０ｃ）を底面２に設ける。凹凸成型面は、真空成型、圧空成型、プレス成型等により形成する。【選択図】図１
2010023874.tif 000002
【特許請求の範囲】
【請求項１】
１枚のプラスチックシートの折り曲げにより形成されたプラスチック箱であって、箱内に収容する物品に適合した凹凸成型面を有するプラスチック箱。
【請求項２】
凹凸成型面が真空成型、圧空成型又はプレス成型により形成されている請求項１記載のプラスチック箱。
【請求項３】
プラスチックシートに凹凸成型面を形成し、該プラスチックシートを、凹凸成型面を有する箱体の展開形状に裁断すると共に該プラスチックシートに折り曲げ罫線を形成し、箱体に組み立てるプラスチック箱の製造方法。
【請求項４】
凹凸成型面を真空成型、圧空成型又はプレス成型により形成する請求項３記載のプラスチック箱の製造方法。
【発明の詳細な説明】
【技術分野】
【０００１】
本発明は、物品の形状や寸法に応じて安定して物品を収容するプラスチック箱に関する。
【背景技術】
【０００２】
一般に、形状や寸法が異なる複数種の物品を一つのプラスチック箱にまとめて収容する場合、搬送時の揺れや衝撃から物品の外観が損なわれることを防止するため、プラスチック箱とは別個のトレーや梱包材等の包装材料を用いて箱内の物品を固定している（特許文献１）。
【０００３】
【特許文献１】特開２００６−１６０３３１号公報
【発明の開示】
【発明が解決しようとする課題】
【０００４】
しかしながら、物品を収容する箱以外にトレーや梱包材等の包装材を使用すると包装コストが余分にかかり、物品の収容作業時間も増加する。
【０００５】
これに対し、本発明は、形状や寸法の異なる複数の物品を、簡便に低コストに一つの箱内に収容できるようにすることを目的とする。
【課題を解決するための手段】
【０００６】
本発明者は、プラスチックシートから物品を収容する箱体を形成するにあたり、その箱体の展開形状において、物品を安定に固定するために必要な面に真空成型等により凹凸面を形成しておくと、それを組み立てたプラスチック箱は、トレーや梱包材を使用することなく、物品を箱内に安定して固定することができ、物品の収容作業も極めて簡単になることを見出した。
【０００７】
即ち、本発明は、１枚のプラスチックシートの折り曲げにより形成されたプラスチック箱であって、箱内に収容する物品に適合した凹凸成型面を有するプラスチック箱を提供する。
【０００８】
また、本発明は、プラスチックシートに凹凸成型面を形成し、該プラスチックシートを、凹凸成型面を有する箱体の展開形状に裁断すると共に該プラスチックシートに折り曲げ罫線を形成し、箱体に組み立てるプラスチック箱の製造方法を提供する。
【０００９】
ここで、凹凸成型面とは、展開状態のプラスチック箱の凹凸成型面以外の面に対して凹部及び／又は凸部を有するように成型加工されている面をいう。
【発明の効果】
【００１０】
本発明のプラスチック箱によれば、トレーや梱包材等の包装材料を使用することなく、形状や寸法の異なる複数の物品を安定に箱内に収容することができ、物品の収容作業も極めて容易となる。したがって、物品の箱への収容コストを大幅に削減することができる。
【００１１】
また、本発明の製造方法によれば、上述のプラスチック箱を容易に製造することができる。
【発明を実施するための最良の形態】
【００１２】
以下、図面を参照しつつ本発明を具体的に説明する。なお、各図中、同一符号は同一又は同等の構成要素を表している。
【００１３】
図１は、発明の一実施例のプラスチック箱１に物品を収容した状態の斜視図であり、図２はそのプラスチック箱１の展開状態の斜視図である。
【００１４】
図２の展開状態のプラスチック箱１’は、直方体の箱体に組み立てられるように底面２、前面３、背面４、左右の側面５ａ、５ｂ、天面６を有し、前面３には、前面３と側面５ａ、５ｂを接合する場合の糊代となる接合片７ａ、７ｂが延設されており、天面６には、箱体の組み立て後に箱体を閉じた形状に固定するための折り曲げ片８が延設されている。
【００１５】
ここで、底面２には成型加工が施されており、このプラスチック箱１に収容する物品Ａ、Ｂ、Ｃの形状や大きさに適合するように、展開形状のプラスチック箱１’の非成型加工面に対する凹部２０ａ、２０ｂ、２０ｃが形成されている。これら凹部２０ａ、２０ｂ、２０ｃの深さは、図１に示すように、ここに物品Ａ、Ｂ、Ｃを載置した場合に、各物品Ａ、Ｂ、Ｃの天面の高さが組み立て後のプラスチック箱１の天面６近傍で揃うように調整されている。
【００１６】
したがって、このプラスチック箱１によれば、収容する物品Ａ、Ｂ、Ｃの大きさや形状が異なっていても、物品Ａ、Ｂ、Ｃは、単にそれらを収容するだけで、安定に箱内に固定される。したがって、トレーや梱包材を使用する場合に比して、物品の収容作業を大幅に簡単にでき、収容コストも削減することができる。
【００１７】
このプラスチック箱１の製造方法としては、まず、１枚のプラスチックシートに底面２となる凹凸成型面を形成する。
【００１８】
ここで、プラスチックシートとしては、透明でも不透明でもよく、ポリエチレンテレフタレート（ＰＥＴ）等のポリエステル、ポリ塩化ビニル、ポリプロピレン、ポリスチレン等の樹脂シートを使用することができ、特に未延伸ＰＥＴ（Ａ−ＰＥＴ）が好ましい。また、プラスチックシートとしては、単層シートを使用してもよく、多層構造のシートを使用してもよい。例えば、金属蒸着層を備えたシートを使用することができる。この場合、金属蒸着層は、未延伸ＰＥＴ等のシートに直接アルミニウム等を真空蒸着したものでもよく、厚さ１０〜８０μｍ程度のＰＥＴ、延伸ポリプロピレン（ＯＰＰ）、キャストポリプロピレン（ＣＰＰ）、ナイロン等の薄肉フィルムに真空蒸着した蒸着フィルムを前述のプラスチックシートにラミネートした積層フィルムの当該ラミネート層でもよい。
成型加工に供するプラスチックシートの成型前の厚さは、０．１〜１ｍｍとすることが好ましい。
【００１９】
凹凸成型面の形成方法としては、真空成型、圧空成型、プレス成型等の成型加工を行うことができ、凹凸形状の深さ等に応じて適宜選択する。
【００２０】
なお、プラスチック箱１を形成するシート面全体について成型加工を行うと、シート全体が加熱により歪み、折り曲げて綺麗な箱に形成することが困難になるという問題が生じるが、物品の形状や大きさに応じて凹凸が必要な面に成型加工を施すことにより、このような問題を解消することができる。
【００２１】
次に、凹凸成型面が、直方体の箱体の展開形状の底面２となるように、プラスチックシートを裁断すると共に折り曲げ罫線９を形成し、前面３、背面４、左右の側面５ａ、５ｂ、天面６、接合片７ａ、７ｂ、及び折り曲げ片８を有するプラスチック箱１の展開形状を得る。
【００２２】
この場合、折り曲げ罫線９は、例えば、凹溝としてもよく、凹溝に所定間隔の貫通孔、いわゆるミシン目を設けたものとしてもよく、凹溝の長手方向に沿って凹凸を形成し、凹溝を２重線としてもよく、種々の態様をとることができる。
【００２３】
また、プラスチックシートの裁断と折り曲げ罫線９の形成は同時に行ってもよく、別個に行ってもよい。
【００２４】
直方体の展開形状に裁断し、罫線９を形成した後は、これを折り曲げ罫線９で折り曲げ、接合片７ａ、７ｂを側面５ａ、５ｂと接着することにより、天面６が蓋として開口しているプラスチック箱１を得ることができる。
【００２５】
本発明は種々の態様をとることができる。例えば、図３のプラスチック箱１Ｂ、及びその展開状態の図４のプラスチック箱１Ｂ’に示すように、凹凸成型面は、展開形状の非成型加工面に対して凸部２０ｄを有するようにして形成してもよい。底面２に、このような凸部２０ｄを形成することによっても、大きさや形状の異なる物品Ａ、Ｂ、Ｃを箱内に安定に固定することができる。
【００２６】
また、本発明において、プラスチック箱の底面２以外にも、前面３、背面４、天面６、左右の側面５ａ、５ｂのいずれを凹凸成型面に形成してもよく、複数面を凹凸成型面としてもよい。
【００２７】
さらに本発明において、プラスチック箱は直方体の箱体に限らず、多角柱状、円柱状等種々の形状をとることができる。
【産業上の利用可能性】
【００２８】
本発明は、化粧用品、医薬品、菓子類、文房具類、その他各種製品を収容するプラスチック箱として使用することができる。
【図面の簡単な説明】
【００２９】
【図１】実施例のプラスチック箱に物品を収容した状態の斜視図である。
【図２】図１のプラスチック箱の展開形状の斜視図である。
【図３】異なる実施例のプラスチック箱に物品を収容した状態の斜視図である。
【図４】図３のプラスチック箱の展開形状の斜視図である。
【符号の説明】
【００３０】
１、１Ｂ    プラスチック箱
１’、１Ｂ’  展開状態のプラスチック箱
２    底面
３    前面
４    背面
５ａ、５ｂ    側面
６    天面
７ａ、７ｂ    接合片
８    折り曲げ片
９    折り曲げ罫線
２０ａ、２０ｂ、２０ｃ    凹部
２０ｄ    凸部
Ａ、Ｂ、Ｃ    物品
【図１】
2010023874.tif 000003
【図２】
2010023874.tif 000004
【図３】
2010023874.tif 000005
【図４】
2010023874.tif 000006